(57)【要約】      （修正有）【課題】体液による手の汚れを防止でき、吸収容量をより増加することのできるコードを備えた膣内挿入用の衛生物品を提供する。【解決手段】膣内挿入用の衛生物品は、吸収体１１と、コード１２とを含み、コードは、長さ方向Ｙを有し、吸収体に取付けられる取付け部４３と、取付け部から延在する引出し部４４と、親水性を有する複数本の糸からなる芯材４１とを含み、少なくとも引出し部において、芯材の周囲が疎水性を有する複数本の糸からなる被覆材によって覆われている。【選択図】図３
0003200644.tif 000002
【実用新案登録請求の範囲】
【請求項１】
吸収体と、前記吸収体から延出する紐状のコードとを含む膣内挿入用の衛生物品において、
前記コードは、長さ方向を有し、前記吸収体に取付けられる取付け部と、前記取付け部から延在する引出し部と、親水性を有する複数本の糸からなる芯材とを含み、少なくとも前記引出し部において、前記芯材の周囲が疎水性を有する複数本の糸からなる被覆材によって覆われていることを特徴とする前記衛生物品。
【請求項２】
前記芯材と前記被覆材とは１本の紐状であって、前記被覆材は前記芯材に巻き付けられて前記長さ方向へ延びる請求項１に記載の衛生物品。
【請求項３】
前記コードは、少なくとも前記引出し部において、平面視において前記コードが前記被覆材によって覆われていない複数の非被覆部を有する請求項１または２に記載の衛生物品。
【請求項４】
前記非被覆部は、前記長さ方向において前記被覆材間に位置し、前記長さ方向における寸法が１〜４ｍｍの範囲である請求項３に記載の衛生物品。
【請求項５】
前記コードの前記引出し部において、前記芯材の外周面積のうちの３０〜８０％が前記被覆材に覆われずに外部に露出している請求項１〜４のいずれかに記載の衛生物品。
【請求項６】
前記引出し部において、前記取付け部側の部分は、前記引出し部の先端側の部分よりも前記芯材の外周を覆う前記被覆材の面積の割合が小さい請求項１〜５のいずれかに記載の衛生物品。
【請求項７】
前記引出し部は、前記吸収体側の端縁から所定の長さ部分において、着色インクが塗布される請求項１〜６のいずれかに記載の衛生物品。
【請求項８】
前記着色インクが塗布された領域の前記長さ方向の寸法は、５０ｍｍである請求項７に記載の衛生物品。
【請求項９】
前記着色インクが塗布された領域は、赤色の反対色に着色される請求項７または８に記載の衛生物品。
【請求項１０】
前記被覆材の繊度は、前記芯材の繊度よりも大きく、前記被覆材を形成する糸の繊度は、前記芯材を形成する糸の繊度と等しい請求項１〜９のいずれかに記載の衛生物品。
【請求項１１】
前記被覆材を形成する糸は、表面が撥水性を有する請求項１〜１０のいずれかに記載の衛生物品。
【考案の詳細な説明】
【技術分野】
【０００１】
本考案は、タンポン等の膣内挿入用の衛生物品に関する。
【背景技術】
【０００２】
従来、吸収体と、前記吸収体から延出する紐状のコードとを含む膣内挿入用の衛生物品は公知である。例えば、特許文献１には、吸収体と、コードとを含む膣内挿入用の衛生物品が開示されており、コードは、吸収体に接合される取付け部と、取付け部から延在する引出し部とを有している。コードは、引出し部において、取付け部側に位置する吸収性部材と、吸収性部材から延在する非吸収性のストリングとを有する。
【先行技術文献】
【特許文献】
【０００３】
【特許文献１】特表２００４−５２８８７０号公報
【考案の概要】
【考案が解決しようとする課題】
【０００４】
特許文献１に開示された衛生物品によれば、使用後の衛生物品を膣外へ取り出す際に、非吸収性のストリングを摘持することで手に体液が触れて汚れることを防止できるとともに、吸収体の吸収容量を超えた体液を吸収性部材によって吸収することができる。
【０００５】
しかし、手の汚れを防止するために、吸収性部材は、引出し部においてごく短い部分にしか設けることができず、吸収容量をより増加することのできるコードが求められていた。
【０００６】
そこで、本考案の目的は、従来の技術の改良であって、体液による手の汚れを防止でき、吸収容量をより増加することのできるコードを備えた膣内挿入用の衛生物品の提供にある。
【課題を解決するための手段】
【０００７】
上記課題を達成するために、本考案は、吸収体と、前記吸収体から延出する紐状のコードとを含む膣内挿入用の衛生物品の改良にある。
【０００８】
本考案は、上記膣内挿入用の衛生物品において、前記コードは、長さ方向を有し、前記吸収体に取付けられる取付け部と、前記取付け部から延在する引出し部と、親水性を有する複数本の糸からなる芯材とを含み、少なくとも前記引出し部において、前記芯材の周囲が疎水性を有する複数本の糸からなる被覆材によって覆われていることを特徴とする。
【考案の効果】
【０００９】
本考案に係る膣内挿入用の衛生物品の一つ以上の実施形態によれば、コードが、親水性を有する複数本の糸からなる芯材を含むため、親水性の芯材によって、引出し部の末端部分まで体液を吸収させることができ、吸収容量をより増加することができる。また、引出し部において、芯材の周囲が疎水性を有する複数本の糸からなる被覆材によって覆われているため、芯材に吸収された体液が手に触れて汚れることを防止することができる。
【図面の簡単な説明】
【００１０】
図面は、本開示に係る本考案の特定の実施の形態を示し、考案の不可欠な構成ばかりでなく、選択的及び好ましい実施の形態を含む。
【図１】本開示に係る膣内挿入用の衛生物品の一例として示すアプリケータ式タンポンの斜視図。
【図２】タンポンの斜視図。
【図３】タンポンの吸収体を圧縮する前の状態であるタンポン半加工品の平面図。
【図４】コードの一部拡大図。
【図５】変形例におけるコードの一部拡大図。
【考案を実施するための形態】
【００１１】
下記の実施形態は、本考案の一例である図１−４に示す膣内挿入用の衛生物品に関し、考案の不可欠な構成ばかりではなく、選択的及び好ましい構成を含む。
【００１２】
図１を参照すると、本考案に係る膣内挿入用の衛生物品の一例であるアプリケータ式タンポン１０は、長さ方向Ｙを有し、吸収体１１と、吸収体１１から延びる紐状のコード１２とを含むタンポン１３と、タンポン１３を膣内へ挿入するためのタンポン用アプリケータ１４とを含む。タンポン用アプリケータ１４は、タンポン１３を収容するための外筒２０と、外筒２０内に配置され、吸収体１１を外筒２０から押し出すための内筒３０とを含む。
【００１３】
外筒２０は、両端が開口した中空円筒状であって、内周面及び外周面２２と、長さ方向Ｙにおいて離間対向する前端２３及び後端２４と、前端２３側に位置する比較的に大径の挿入部２５と、挿入部２５から後端２４側へ延びる比較的に小径の摘持部２６とを有する。前端２３には、タンポン１３を押し出すときに弾性変形して拡開する複数の花弁体２７によって画成される押出し口２８が位置する。内筒３０は、後端２４の開口から外筒２０の内部を長さ方向Ｙに移動可能に挿入される。花弁体２７の先端は、外筒２０の中心軸へ向かって延びる先鋭状であり、前端２３は全体として前方へ凸曲した形状を有する。挿入部２５には所要の形状に賦型された吸収体１１が収容される。
【００１４】
内筒３０は、両端が開口した中空円筒状であって、内周面及び外周面３１と、長さ方向Ｙにおいて離間対向する前端３２及び後端３３とを有する。前後端３２，３３に位置する開口にはタンポン１３のコード１２が挿通されており、それらの外周面３１には、それぞれ、周方向外側へ突出する前方フランジ３４及び後方フランジ３５が設けられる。前方フランジ３４は、前端３２の開口から後端３３側へ離間して位置する。内筒３０の前端３２は、前方フランジ３４から開口に向かって細くなるように僅かにテーパした形状を有し、内筒３０が外筒２０に収容された状態において吸収体１１の後端と当接している。
【００１５】
外筒２０と内筒３０とは、公知の熱可塑性樹脂、例えば、ポリエチレン、ポリプロピレン等のポリオレフィン系の樹脂を用いて、射出成形により形成することができる。外筒２０の材料としては、押出し口２８からタンポン１３を押し出すときに花弁体２７を拡開可能とするために、可撓性を有する材料から形成されることが好ましい。外筒２０は、タンポン１３を収容できる程度の内部空間を有するものであって、その直径は約１０〜２５ｍｍである。内筒３０の直径は外筒２０の直径よりも小さく、かつ、前方フランジ３４の外径が摘持部２６の内径よりも大きくなっており、内筒３０を後端３３側へ引っ張ったときに前方フランジ３４が挿入部２５と摘持部２６との間に位置する段差に係止されて移動が規制され、外筒２０の後端３３の開口からの脱落が防止される。
【００１６】
図２及び３を参照すると、タンポン１３の吸収体１１は、外筒２０内の押出し口２８側に位置し、円筒状に圧縮された吸収性のシート状であって、展開された状態において矢尻状を有する。吸収体１１は、セルロース系繊維、例えば、レーヨン、コットン等の天然繊維、合成繊維等の体液吸収物品に使用される吸収材料によって形成される吸収層６１と、不織布や開孔フィルム等の透液性の被覆シート６２とを含む。本実施形態において、吸収体１１は、矢尻状に形成されているが、形状はこれに限定されず、長方形状、楕円形状等、適宜変更することができる。吸収体１１の一方の面６５には、長さ方向Ｙに沿ってコード１２が取り付けてある。
【００１７】
図３を参照すると、タンポン１３のコード１２は紐状に形成され、吸収体１１の幅方向Ｘ（タンポン１３の半加工品の幅方向）の寸法Ｗを二等分する中心線Ｐに沿って吸収体１１に取り付けられる。コード１２は、タンポン１３の長さ方向Ｙにおいて互いに対向する第１端６３及び第２端６４と、第１端６３側に位置し、吸収体１１に取り付けられる取付け部４３と、第２端６４側に位置し、取付け部４３から延在する引出し部４４とを有する。
【００１８】
取付け部４３においてコード１２は、吸収体１１に縫い付ける、接着剤等によって接合する、又は吸収体１１に通して固定する等、公知の手段によって吸収体１１に取り付けることができる。図示例のコード１２は、縫い糸（ミシン目）４７によって吸収体１１に縫い付けられている。コード１２は、使用後に体液を吸収した吸収体１１を膣腔内から安全に取りだすことのできる程度の引張強度を有しており、具体的には、吸収体１１を取り出すときに切断されないように、約５Ｎ以上の引張強度を備えることが好ましい。コード１２の長さ方向Ｙにおける寸法Ｌ１は、約１１０〜２５０ｍｍであることが好ましく、引出し部４４の長さ方向Ｙにおける寸法Ｌ２は約８０〜１６０ｍｍであることが好ましい。
【００１９】
図４は、図３に示すコード１２のＩＶ部位における一部拡大図である。コード１２は、長さ方向Ｙに延びる芯材４１と、芯材４１の外周を覆う被覆材４２とを含み、取付け部４３及び引出し部４４には、平面視において、芯材４１が被覆材４２によって覆われていない複数の非被覆部４８を有している。非被覆部４８は、タンポン１３の平面視において長さ方向Ｙに離間する被覆材４２の間に位置する。芯材４１と被覆材４２とは、コード１２の第１端６３から第２端６４まで延びている。
【００２０】
芯材４１は、紐状であって、親水性を有する複数の糸４５から形成される撚り糸からなる。糸４５を構成する繊維としては、コットン等の天然繊維やレーヨン等の再生繊維等のセルロース系繊維、親水性の合成繊維、親水化処理した疎水性の合成繊維、超吸水性繊維等を用いることができる。超吸水性繊維としては、例えば、日本エクスラン工業株式会社製のランシール（登録商標）Ｆ等を用いることができる。糸４５の本数は３〜１０本であって、繊度は約１００〜７００ｄｔｅｘであることが好ましい。本実施形態において芯材４１は、繊度が約６００ｄｔｅｘであるコットンからなる５本の糸４５を撚りあわせて紐状に形成されている。
【００２１】
被覆材４２は、紐状であって、疎水性を有する複数の糸４６から形成される撚り糸からなる。糸４６を構成する繊維としては、ポリプロピレン、ポリエチレン等の疎水性繊維や、撥水処理した親水性繊維を用いることができる。また、疎水性の糸４６として、親水性繊維からなる糸の表面に撥水処理を施したものを用いることもできる。糸４６の本数は５〜１５本であって、繊度は約１００〜７００ｄｔｅｘであることが好ましい。本実施形態において被覆材４２は、繊度が約６００ｄｔｅｘである１１本の糸４６を撚りあわせて紐状に形成されており、芯材４１の糸４５と、被覆材４２の糸４６の繊度は、ほぼ等しく、芯材４１に比して被覆材４２の繊度が大きい。
【００２２】
被覆材４２は、芯材４１の周面に、いわゆるＳ撚り又はＺ撚りに巻き付けられた状態で長さ方向Ｙに延びる。本実施形態においては、被覆材４２が、第１端６３から第２端６４に亘って、単位長さ当たりの巻き数が一様であって、平面視においてほぼ等間隔に位置するように、芯材４１にらせん状に巻き付けられている。このように、被覆材４２が芯材４１を巻回しながら長さ方向Ｙへ延びていることから、長さ方向Ｙにおいて隣り合う被覆材４２間に位置する非被覆部４８は、長さ方向Ｙへ連続してらせん状に延びる。また、被覆材４２は、芯材４１の外周面に塗布した接着剤によって固定されたり、ミシン目によって縫い付けられたりされておらず、芯材４１と対向する部分において隙間なく締め付けることで巻回された状態が維持されている。ただし、後記の本考案の効果を奏する限りにおいて、芯材４１と被覆材４２と接着剤で固定されていてもよいし、芯材４１を構成する糸４５と被覆材４２を構成する糸４６との本数や繊度は適宜変更することができる。芯材４１及び被覆材４２は、比較的に大きな繊度を有する１本のストランドから形成することも可能であるが、芯材４１を複数の糸４５から構成することによって、糸４５どうしの間隙に体液が入り込んで毛管作用が向上して、体液をより速やかに第１端６３側から第２端６４側へ移動させることができる。
【００２３】
アプリケータ式タンポン１０を使用するときには、使用者が一方の手で摘持部２６を摘んだ状態のままアプリケータ１４を前端２３側から膣腔内へ挿入し、他方の手の人挿し指で内筒３０の後端３３を押圧して、内筒３０を前方へ（膣腔内側へ）移動させる。そのまま押圧すると、内筒３０の前方フランジ３４が外筒２０の前端２３内に移動したときに、吸収体１１が膣空内へ挿入される。膣腔内に挿入された吸収体１１は体液を吸収し、体液が外部に漏れるのを防止する。しかし、吸収体１１の吸収容量を超えて体液が排泄された場合には、体液が膣腔内から外部に漏れ出るおそれがあるところ、コード１２の長さ方向Ｙ全体に延びる芯材４１が親水性を有するものであるから、吸収体１１の吸収容量を超えた体液が芯材４１に吸収されて、体液が外部に漏れ出るのを防止できる。このように、タンポン１３は、吸収体１１の吸収容量と芯材４１との吸収容量とを合わせた所要の吸収容量を有するものであるから、一定以上の体液を吸収保持することができる。
【００２４】
また、吸収体１１で吸収された体液は、コード１２を構成する糸４５の繊維間隙及び糸４５どうしの間隙による毛管作用によってコード１２の第２端６４側へ向かって移動するところ、吸収体１１を膣腔内から取り出すためにコード１２を摘持したとき、芯材４１全体が外部に露出していたときには、芯材４１に吸収された体液が手に付着して汚れるおそれがある。本実施形態のコード１２においては、親水性の芯材４１が疎水性の被覆材４２で覆われているために、使用者がコード１２を摘持しても手に体液が付着して汚れるのを防止できる。
【００２５】
さらに、吸収体１１を膣腔内から取り出すためにコード１２を引っ張ったときに、撥ね上がった体液がコード１２の外周面に付着するおそれがある。かかる場合において、芯材４１の外周面全体が被覆材４２で覆われていた場合には、体液が芯材４１に接触して吸収されることはなく、コード１２の外周面に付着したままの状態となり、それを摘持したときに、手が汚れるおそれがある。本実施形態のコード１２においては、被覆材４２の位置していない、芯材４１が外部に露出した複数の非被覆部４８が平面視において長さ方向Ｙへ離間して位置することによって、非被覆部４８から体液が芯材４１に吸収され、コード１２の外面に付着されたままの状態となって使用者の手が汚れるのを抑制することができる。特に、本実施形態においては、紐状の被覆材４２が芯材４１に巻き付けられていることによって、非被覆部４８は長さ方向Ｙへ、らせん状に連続して延びていることから、コード１２の外周面全体に非被覆部４８が形成され、コード１２の外周面全体のいずれかに体液が付着しても、速やかに芯材４１へ移動させて吸収保持させることができる。
【００２６】
また、芯材４１と被覆材４２とが、それぞれ、複数の糸を撚りあわせて形成されていることによって、それらが単数のストランド状の部材から形成されている場合に比して、柔軟性に優れ、比較的にデリケートな部分である膣腔近傍に対する肌当たりが良好である。また、被覆材４２が複数の疎水性を有する糸４６から構成されていることによって、その外周面に付着した体液が糸４６どうしの間隙に入り込んで芯材４１に移動させることも考えられる。
【００２７】
平面視における非被覆部４８の長さ方向Ｙの寸法（長さ方向Ｙにおける最大寸法）Ｌ３は、約１〜４ｍｍの範囲内であることが好ましく、約２〜３ｍｍの範囲内であることがより好ましい。寸法Ｌ３が１ｍｍ未満である場合には、被覆材４２に付着した体液が非被覆部４８から芯材４１へ引き込まれ難くなるおそれがあり、４ｍｍを超える場合には、芯材４１に吸収された体液がコード１２を摘持したときに使用者の手に付着するおそれがある。また、コード１２の外周に付着した体液を吸収し、かつ、芯材４１が吸収した体液が手の触れることを効果的に防止するために、引出し部４４において、芯材４１の外周面積の約３０〜８０％が被覆材４２に覆われておらず、外部に露出していることが好ましく、約５０〜７０％外部に露出していることがより好ましい。記述のとおり、本実施形態において、コード１２は、紐状の芯材４１に紐状の被覆材４２を巻き付けて形成されており、それらが引出し部４４において互いに固定されていないので、使用が阻害されない限りにおいて互いの締結を緩めることもでき、かかる場合には、使用者が手で操作することによって非被覆部４８の大きさを変えることもできる。
【００２８】
図示していないが、引出し部４４では、第１端６３側よりも第２端６４側の方が芯材４１の外周を覆う被覆材４２の面積の割合が小さくなるように、言い換えれば、平面視において長さ方向Ｙに隣り合う被覆材４２の離間間隔（すなわち、平面視における非被覆部４８の長さ方向Ｙの寸法Ｌ３）を第２端６４側に比して第１端６３側の方が大きくなるようにすることができる。具体的には、図３に示すとおり、引出し部４４において、その長さ方向Ｙの寸法Ｌ２を二等分する二等分線Ｑから第１端６３側に延びる第１部分４４ａの方が、二等分線Ｑから第２端６４側に延びる第２部分４４ｂよりも外部に露出している芯材４１の外周面積の割合が大きくなるようにすることができる。かかる構成のコード１２では、体液が吸収体１１の吸収容量を超えた場合に、取付け部４３から引出し部４４へコード１２の外周を伝って漏れ出たり、廃棄するときに撥ね上がって外周面に付着した体液を第１部分４４ａにおいて速やかに芯材４１に吸収させることができる。さらに、使用後のタンポン１３を廃棄する際には、第２部分４４ｂを摘持することで手の汚れを防止することができる。
【００２９】
芯材４１は、少なくとも引出し部４４において被覆材４２に覆われていればよく、例えば、取付け部４３において芯材４１が被覆材４２に覆われていない構成であってもよい。
取付け部４３が被覆材４２によって覆われていない場合、取付け部４３において、吸収体１１に比して芯材４１の親水性が低いことが好ましい。かかる構成によって、体液が吸収体１１に吸収される前に取付け部４３のコード１２を伝って引出し部４４側へ漏れ出ることを抑制することができる。
【００３０】
図２〜４を参照すると、引出し部４４は、取付け部４３側の端縁から所定の長さ部分において、着色インクが塗布された着色部５０を有する。このように、引出し部４４に着色部５０を設けることによって、タンポン１３を膣内から取り出す際に、コード１２を摘持するのに好ましい領域を色によって識別しやすくすることができる。着色部５０では、芯材４１と被覆材４２とのうち、少なくとも芯材４１が着色インクによって着色される。着色インクは、適宜公知の色の用いることができるが、着色部５０に付着した経血の赤色と混ざることによって変色するように赤色の反対色、具体的には、Ｌ＊ａ＊ｂ＊表色系において、Ｌ＊値が８８以上であり、ａ＊値が０以上、０．３以下であり、ｂ＊値が−８以上、０以下となる範囲の色、例えば、青色や黄色、に着色されることが好ましい。かかる変色は、化学的なものではなく、単に着色インクの色と経血の赤色とが混ざり合うことによるものであって、外部から変色が視認できる程度の色合いを有することが好ましい。
【００３１】
このように、着色部５０において、少なくとも芯材４１を赤色の反対色に着色することで、芯材４１が経血を吸収した場合であっても、着色部５０と非着色部５１とを識別しやすくすることができる。すなわち、芯材４１が経血を吸収すると、着色部５０では、芯材４１が経血による赤色と、その反対色とが混ざった色に変化し、非着色部５１では、芯材４１が経血によって赤色に染色されるため、両者を色によって識別することができ、着色部５０を容易に摘持することができる。また、経血は酸化すると黒色化して意匠的に好ましくないところ、着色部５０が赤色以外に変色することで、意匠性を向上させることができる。
【００３２】
タンポン１３を膣内から取り出す際に使用者に好適な領域を摘持させるために、着色部５０の長さ方向Ｙにおける寸法Ｌ４は約４０〜７０ｍｍであることが好ましく、約５０ｍｍであることがより好ましい。寸法Ｌ４をこのように設定することで、使用者がタンポン１３を膣内から取り出す際に、取付け部４３側から４０〜７０ｍｍ以内（より好ましくは５０ｍｍ以内）の領域を摘持するように促すことができ、例えば、第２端６４側を摘持して引っ張った時に吸収体１１の遠心力により体液が飛び散ること等を防止することができる。また、取出し部４３に近接する領域に着色部５０を設けることで、芯材４１に吸収された経血の色（赤色）が使用者に直接視認されることを抑制し、不快感を低減することができる。
【００３３】
＜変形例＞
図５（ａ）〜（ｃ）は、本考案に係るコード１２の変形例１〜３を示す図であり、コード１２の着色部５０における一部拡大平面図である。変形例１〜３に係るアプリケータ式タンポン１０は、上述した実施形態にかかるそれと基本的構成が同一であるので、相違する点についてのみ以下に説明する。
【００３４】
＜変形例１＞
図５（ａ）に示す変形例１のコード１２では、取付け部４３及び引出し部４４において、芯材４１の外周が二本の被覆材４２ａ，４２ｂによって覆われている。コード１２は、芯材４１の外周に一方の被覆材４２ａをＺ撚りに巻き付けた後、他方の被覆材４２ｂをＳ撚りで巻き付けたダブルカバードヤーン構造によって形成される。なお、コード１２は、芯材４１に被覆材４２ａをＳ撚りに巻き付けた後、被覆材４２ｂをＺ撚りに巻き付ける構成であってもよい。
【００３５】
＜変形例２＞
図５（ｂ）に示す変形例２のコード１２では、取付け部４３及び引出し部４４において、芯材４１の外周が二本の被覆材４２ａ，４２ｂによって覆われており、芯材４１を芯とし、二本の被覆材４２ａ，４２ｂを用いて芯入り結びすることによりコード１２が形成される。
【００３６】
＜変形例３＞
図５（ｃ）に示す変形例３のコード１２では、取付け部４３及び引出し部４４において、芯材４１の外周が二本の被覆材４２ａ，４２ｂによって覆われており、芯材４１を芯とし、二本の被覆材４２ａ，４２ｂを用いて、いわゆる平結びをすることによりコード１２を形成している。
【００３７】
＜変形例４＞
図示していないが、本変形例においては、コード１２の被覆材４２を構成する糸４６が疎水性繊維からなり、糸４６の表面に撥水処理が施されている。このように、疎水性繊維からなる糸４６の表面に撥水処理を施すことによって、糸４６の表面で体液を弾き、体液が糸４６の内部に浸透することを防止することができ、被覆材４２が体液で汚れることを防止することができるため、体液が手に付着するのをより効果的に防止し得る。
【００３８】
＜親水性の糸・撥水処理した疎水性の糸の試験方法＞
試験には、芯材４１を形成する親水性の糸４５としてコットンからなる糸を用い、被覆材４２を形成する疎水性の糸４６としてポリエステルからなる糸の表面に撥水処理を施したものを用いた。これら親水性の糸と表面を撥水処理した疎水性の糸とは、以下に説明する沈降試験によって区分することができる。直径が０．４ｍｍの銅線によって、外径が５０ｍｍ、高さが８０ｍｍ、質量が３．０ｇの円筒形の籠を形成する。この籠の中に５ｇの試験糸を収容し、水を溜めたビーカーを水平な台の上に設置し、水面上１０ｍｍの高さから籠を静かに落とす。ビーカーは、容量が２Ｌであって、高さが２８０ｍｍのものを用い、２００ｍｍの高さまで水を入れ、籠は、その高さ方向を水面方向と平行にした状態でビーカーに落とす。籠が水面に接してから水面下に沈むまでの時間を計測し、籠が沈む時間が３００秒以内であるものを本考案における親水性の糸とし、３００秒を超えるものを本考案における疎水性の糸とする。なお、籠の全部が水面下に位置した時を籠が沈んだ時とする。試験糸は籠に水が付着していない状態で収容し、ビーカーの水は、試験を１度行う毎に交換する。
【００３９】
【表１】
0003200644.tif 000003
【００４０】
＜試験結果＞
表１に示すとおり、親水性の糸４５では、籠が３００秒以内に水面下に沈降した。疎水性の糸４６では、２４時間以上経っても籠が沈降しなかった。
【００４１】
変形例１〜４のコード１２は、取付け部４３及び引出し部４４において、芯材４１が被覆材４２（４２ａ，４２ｂ）によって覆われていない複数の非被覆部４８を有する。非被覆部４８は、平面視において長さ方向Ｙに離間する被覆材４２の間に位置する。各非被覆部４８の長さ方向Ｙにおける寸法Ｌ３は、約１〜４ｍｍの範囲内であり、約２〜３ｍｍの範囲内であることがより好ましい。なお、芯材４１は、少なくとも引出し部４４において被覆材４２に覆われていればよく、例えば、取付け部４３において芯材４１が被覆材４２に覆われていない構成であってもよい。取付け部４３が被覆材４２によって覆われていない場合、取付け部４３において、芯材４１の親水性が吸収体１１の親水性よりも低いことが好ましい。
【００４２】
各変形例に示すように、被覆材４２は複数であってもよく、例えば紐状の被覆材４２を３本以上用いて芯材４１の外周を覆ってもよい。変形例１〜３のコード１２では、親水性を有する芯材４１の外周が疎水性を有する被覆材４２ａ，４２ｂによって覆われているため、既述の効果を奏するとともに、実施形態におけるコード１２に比して引張強度を高めることができ、被覆材４２ａ，４２ｂが解れるのを防止することができる。
【００４３】
上述した実施形態及び変形例では、取付け部４３及び引出し部４４において非被覆部４８が形成されているが、引出し部４４にのみ非被覆部４８が形成されている構成であってもよい。また、上述の実施形態では、膣内挿入用の衛生物品としてアプリケータ式タンポン１０を記載しているが、タンポン用アプリケータ１４を有しておらず、指を使って膣内に挿入するフィンガータイプのタンポンに適用することもできる。
【００４４】
本考案に係るアプリケータ式タンポン１０を構成する各構成部材には、明細書に記載されている材料のほかに、この種の物品において通常用いられている各種公知の材料を制限なく用いることができる。また、明細書及び特許請求の範囲において、「第１」及び「第２」の用語は、同様の要素、位置等を単に区別するために用いられる。
【００４５】
以上に記載した本考案に関する開示は、少なくとも下記の事項に整理することができる。
【００４６】
吸収体と、前記吸収体から延出する紐状のコードとを含む膣内挿入用の衛生物品において、前記コードは、長さ方向を有し、前記吸収体に取付けられる取付け部と、前記取付け部から延在する引出し部と、親水性を有する複数本の糸からなる芯材とを含み、少なくとも前記引出し部において、前記芯材の周囲が疎水性を有する複数本の糸からなる被覆材によって覆われている。
【００４７】
上記段落００４６に開示した本考案は、少なくとも下記の実施の態様を含むことができる。
（１）前記芯材と前記被覆材とは１本の紐状であって、前記被覆材は前記芯材に巻き付けられて前記長さ方向へ延びる。
（２）前記コードは、少なくとも前記引出し部において、平面視において前記コードが前記被覆材によって覆われていない複数の非被覆部を有する。
（３）前記非被覆部は、前記長さ方向において前記被覆材間に位置し、前記長さ方向における寸法が１〜４ｍｍの範囲である。
（４）前記コードの前記引出し部において、前記芯材の外周面積のうちの３０〜８０％が前記被覆材に覆われずに外部に露出している。
（５）前記引出し部において、前記取付け部側の部分は、前記引出し部の先端側の部分よりも前記芯材の外周を覆う前記被覆材の面積の割合が小さい。
（６）前記引出し部は、前記吸収体側の端縁から所定の長さ部分において、着色インクが塗布される。
（７）前記着色インクが塗布された領域の前記長さ方向の寸法は、５０ｍｍである。
（８）前記着色インクが塗布された領域は、赤色の反対色に着色される。
（９）前記被覆材の繊度は、前記芯材の繊度よりも大きく、前記被覆材を形成する糸の繊度は、前記芯材を形成する糸の繊度と等しい。
（１０）前記被覆材を形成する糸は、表面が撥水性を有する。
【符号の説明】
【００４８】
１０    アプリケータ式タンポン（膣内挿入用の衛生物品）
１１    吸収体
１２    コード
１３    タンポン
１４    タンポン用アプリケータ
４１    芯材
４２    被覆材
４８    非被覆部
５０    着色部
Ｘ      幅方向
Ｙ      長さ方向
【図１】
0003200644.tif 000004
【図２】
0003200644.tif 000005
【図３】
0003200644.tif 000006
【図４】
0003200644.tif 000007
【図５】
0003200644.tif 000008